(57)【特許請求の範囲】
【請求項１】
換気扇枠の換気口を覆うフィルタが展張されるフィルタ支持本体と、
前記換気扇枠のうち、前記換気口を中心とした両側部分に取り付けられ、かつ前記フィルタ支持本体が連結される１対の支持体固定部材とを備えた換気扇用フィルタ支持具であって、
前記フィルタ支持本体は、平面視して平行四辺形に組まれた多数本のリンク同士が各交差位置で回動自在にピンにより連結されたことで伸縮自在となり、かつ前記多数のリンクのうち、前記フィルタ支持本体の一方の伸縮方向の両端部にそれぞれ１対ずつ配置された前記リンクが、１対の固定用ピンを介して、前記１対の支持体固定部材にそれぞれ連結されるパンタグラフ構造体で、
前記１対の支持体固定部材には、前記１対の固定用ピンが連結される内側配置の１対の固定用ピン孔と外側配置の１対の固定用ピン孔とがそれぞれ離間して形成され、これらの何れか一方に前記１対の固定用ピンを連結することで、前記フィルタ支持本体の最大高さを調整する換気扇用フィルタ支持具。
【請求項２】
前記換気扇枠の外周部に、前記換気口に被せたフィルタを掛止するフィルタ掛止部材を設けた請求項１に記載の換気扇用フィルタ支持具。
【発明の詳細な説明】
【技術分野】
【０００１】
この発明は換気扇用フィルタ支持具、詳しくは家庭の台所や飲食店などの厨房の換気扇にフィルタを装着可能な換気扇用フィルタ支持具に関する。
【背景技術】
【０００２】
例えば家庭の台所では、油煙や埃などの吸入に伴う換気扇のファンやモータへの汚れを防ぐため、換気扇の換気口をフィルタにより覆う場合がある。
従前より、フィルタを換気口に装着する用具として、例えばフィルタが展張されたプラスチック成形品の矩形枠体により、換気口の全体を覆う換気扇カバーなどが知られている。しかしながら、従前の換気扇カバーの場合、１品１サイズとなっていたため、換気口のサイズに応じて、大きさが異なる換気扇カバーが必要であった。
【０００３】
そこで、近年、換気口のサイズに合わせてその大きさを調整可能な換気扇フィルタ支持装置が開発されている（例えば、特許文献１）。
特許文献１は、長さ方向の中間部を中心として折り曲げ可能な平板の平面状支持枠体（フィルタ支持本体）を本体としたものである。使用時、換気口のサイズに応じて平面状支持枠体の屈曲角を変更し、その後、この折り曲げた平面状支持枠体を換気口に被せる。それから、フィルタを平面状支持枠体の上から換気扇枠に装着する。
【特許文献１】特開２００５−１９５２９９号公報
【発明の開示】
【発明が解決しようとする課題】
【０００４】
しかしながら、特許文献１にあっては、上述したように平面状支持枠体が、その長さ方向の中間部からＶ字形状に屈曲する平板により構成されていた。そのため、換気口のサイズに応じて平面状支持枠体の屈曲角を変更した際、平面状支持枠体の最大高さ（長さ方向の中間部の高さ）も変化していた。
例えば、平面状支持枠体の最大高さが低すぎれば、換気口と平面状支持枠体の中央部との距離が短くなり、ファンの負圧力の影響をフィルタが大きく受けてしまう。これにより、捕集された油分がフィルタを通り抜け、背後のファンを汚すおそれがあった。また、この最大高さが高くなりすぎれば、一般的に狭い台所内において、換気扇の近傍の空間を利用し難くなるおそれがあった。しかも、長期間の使用によりフィルタに多量の油分が付着している場合には、その最大高さが高くなるほど、フィルタから油滴が落下した際、油で汚す床面積が大きくなってしまう。
Ｖ字状に折り曲げられる平面状支持枠体は、板材として十分な硬度が得にくかった。
【０００５】
そこで、発明者は鋭意研究の結果、従来のＶ字屈曲方式の平面状支持枠体に代えて、パンタグラフ構造のフィルタ支持本体を採用すれば、多様なサイズの換気口に装着可能であるだけでなく、使用中のフィルタ支持本体の全体形状を、形状的に高強度となるアーチ形状とし易く、しかも換気口のサイズが異なっても、フィルタ支持本体の最大高さを最適な高さに保持することができることを知見し、この発明を完成させた。
【０００６】
この発明は、多様なサイズの換気口に対応することができ、しかも使用時のフィルタ支持本体を形状的に高強度化することが可能で、かつ換気口のサイズに拘らず、フィルタ支持本体の最大高さを変更することができる換気扇用フィルタ支持具を提供することを目的としている。
また、この発明は、フィルタの換気扇への着脱が容易な換気扇用フィルタ支持具を提供すること目的としている。
【課題を解決するための手段】
【０００７】
請求項１に記載の発明は、換気扇枠の換気口を覆うフィルタが展張されるフィルタ支持本体と、前記換気扇枠のうち、前記換気口を中心とした両側部分に取り付けられ、かつ前記フィルタ支持本体が連結される１対の支持体固定部材とを備えた換気扇用フィルタ支持具であって、前記フィルタ支持本体は、平面視して平行四辺形に組まれた多数本のリンク同士が各交差位置で回動自在にピンにより連結されたことで伸縮自在となり、かつ前記多数のリンクのうち、前記フィルタ支持本体の一方の伸縮方向の両端部にそれぞれ１対ずつ配置された前記リンクが、１対の固定用ピンを介して、前記１対の支持体固定部材にそれぞれ連結されるパンタグラフ構造体で、前記１対の支持体固定部材には、前記１対の固定用ピンが連結される内側配置の１対の固定用ピン孔と外側配置の１対の固定用ピン孔とがそれぞれ離間して形成され、これらの何れか一方に前記１対の固定用ピンを連結することで、前記フィルタ支持本体の最大高さを調整する換気扇用フィルタ支持具である。
【０００８】
請求項１に記載の発明によれば、各種の換気口サイズに合わせてフィルタ支持本体の長さ調整（伸縮）を行う。フィルタ支持本体として多数本のリンク（連結部材）を多関節に連結したパンタグラフ構造のものを採用したので、多様なサイズの換気口に対応することができる。
こうして長さ調整されたフィルタ支持本体を、支持体固定部材を介して、換気扇枠に形状的に高強度な例えばアーチ形状に取り付け、換気口をフィルタ支持本体により覆う。このように、フィルタ支持本体の使用時の外観形状を、Ｖ字形状に比べて構造上高強度なアーチ形状とすれば、例えば換気扇のモータが大出力でファンの吸引力が大きい場合でも、その負圧力によりフィルタ支持本体の変形を起こし難い。
【０００９】
また、フィルタ支持本体として、交差配置された多数本のリンクを多数のピンにより多間接に連結したパンタグラフ構造のものを採用し、これを支持体固定部材を用いて換気扇枠にアーチ形状に取り付けるようにしたので、換気口のサイズに拘らず、フィルタ支持本体の最大高さを自在に変更することができる。
すなわち、仮にフィルタ支持本体の最大高さが高すぎる場合には、両支持体固定部材の外側に配置された１対の固定ピン孔に１対の固定用ピンを連結して、隣接する各リンクの端部の間隔を大きくすることで、その最大高さを例えば最適値まで低めることができる。反対に、最大高さが低すぎる場合には、両支持体固定部材の内側に配置された１対の固定ピン孔に１対の固定用ピンを連結して、前記隣接する各リンクの端部の間隔を小さくして、例えばその最大高さを最適値まで高めることができる。
【００１０】
これにより、どのような口径の換気口を有した換気扇枠に換気扇用フィルタ支持具を取り付ける際でも、フィルタとファンとの距離を最適化することができる。その結果、フィルタに捕集された油分がフィルタを通過し、背後のファンを汚すおそれが低減し、かつ換気扇の近傍の空間を有効利用することができるとともに、フィルタに多量の油分が付着しても、フィルタから落下した油滴で汚れる床面積を小さくすることができる。
【００１１】
この発明が適用される換気扇としては、例えば各種の家庭用換気扇、各種の業務用換気扇などを採用することができる。換気扇は建物の側壁に設置されるものでもよいし、建物の天井に設置されるものでもよい。
換気扇枠の素材は任意である。例えば各種の合成樹脂（ポリプロピレン、ポリエチレン、ポリ塩化ビニル、ＡＢＳを含むフッ素系樹脂など）、各種の金属（鉄、ステンレス、アルミニウムなど）、各種の木（杉、檜、松、桐、楠など）、各種のセラミックスを採用することができる。
【００１２】
換気扇枠の外観形状は任意である。例えば、換気口を正面視して円形、楕円形、四角形を含む三角形以上の多角形でもよい。また、任意の形状でもよい。
換気扇枠の大きさは、換気口のサイズにより適宜変更される。
換気扇枠のうち、換気口を中心とした両側部分とは、例えば、換気口が形成された枠板（前板）のうちで、換気口の中心線を中心とした線対称の部分である。その他、換気扇枠の外周枠板のうち、換気口の中心線を中心とした線対称の部分などでもよい。
換気口（ファン）のサイズ（直径）は任意である。例えば一般家庭用で１５ｃｍ、２０ｃｍ、２５ｃｍ、業務用で３０ｃｍなどである。換気口の正面視した形状としては、例えば円形、楕円形、三角形以上の多角形などが挙げられる。
【００１３】
フィルタ支持本体の主な構成体であるリンクの素材は任意である。例えば、各種の合成樹脂（ポリプロピレン、ポリエチレン、ポリ塩化ビニル、ＡＢＳを含むフッ素系樹脂、ポリウレタン樹脂など）、各種の金属（鉄、ステンレス、アルミニウム、銅、ニッケル、青銅、黄銅など）を採用することができる。リンクは弾性変形可能なものの方が、換気扇用フィルタ支持具の使用時に、フィルタ支持本体をアーチ形状に付形し易いので好ましい。もちろん、リンクを剛体とし、かつ隣接するリンク同士のピン連結部のガタつきを利用してアーチ形状を現出するようにしてもよい。
【００１４】
リンクの形状は任意である。例えば短冊板形状でもよい。リンクの使用本数は、少なくとも１つの平行四辺形を画成しなければならないので、４本以上である。
リンクの弾性力は、適用最小サイズの換気口に換気扇用フィルタ支持具を装着したとき、ファンの吸引力（負圧力）によりフィルタ支持本体の中央部が換気口を通して換気扇枠の換気路内へ凹まない程度であればよい。
リンクに形成されるピン連結用のピン孔は、１本のピンに対応するピン孔を複数形成してもよい。これにより、リンク間のピッチを変更することができる。例えば、ピッチを大きくすることで、リンクの使用本数を減らすこともできる。
【００１５】
支持体固定部材の素材は任意である。例えば、各種の合成樹脂（ポリプロピレン、ポリエチレン、ポリ塩化ビニル、ＡＢＳを含むフッ素系樹脂、ポリウレタン樹脂、エチレン酢酸ビニル共重合樹脂、メタクリル樹脂など）、各種の金属（鉄、ステンレス、アルミニウム、青銅、黄銅など）を採用することができる。
支持体固定部材の使用総数は、例えば２つ以上など任意である。また、各支持体固定部材に連結されるリンクの本数も任意である。１本のリンクに１個の支持体固定部材を取り付けてもよいし、１本のリンクに対して２本以上のリンクを取り付けてもよい。
【００１６】
例えば、各支持体固定部材に複数本のリンクをそれぞれ取り付けるように構成し、かつ各支持体固定部材と、対応する各リンクとの連結部分には、フィルタ支持本体の伸縮長さに応じて各リンクの連結位置を変更する位置変更構造体を配設するようにしてもよい。位置変更構造体を利用すれば、各種の換気口サイズに合わせて長さ調整されたフィルタ支持本体により換気口を覆うとき、フィルタ支持本体の最大高さの調整が容易になる。
位置変更構造体としては、例えばピンとピン孔（貫通孔）とからなるピン連結構造体、ボルトナット構造体、雄掛止部材と雌掛止部材とからなる雄雌掛合体などを採用することができる。ピン孔の場合、複数のピン孔を採用してもよいし、長孔を採用してもよい。
【００１７】
請求項２に記載の発明は、前記換気扇枠の外周部に、前記換気口に被せたフィルタを掛止するフィルタ掛止部材を設けた請求項１に記載の換気扇用フィルタ支持具である。
【００１８】
請求項２に記載の発明によれば、フィルタ支持本体を介して換気口に被せたフィルタをフィルタ掛止部材に掛止するので、フィルタの換気扇への着脱が容易となる。すなわち、従来品では、換気扇枠を換気扇本体から取り外し、フィルタの周縁部を換気扇枠の周側枠板の内側へ回り込ませ、再び換気扇本体に換気扇枠を装着していたが、その手間が省ける。
【００１９】
換気扇枠の外周部とは、換気扇枠の前板の外縁部分でもよいし、換気扇枠の外周枠板でもよい。換気扇枠の外周部におけるフィルタ掛止部材の設置位置は任意である。例えば、外周枠板の隅部でもよいし、外周枠板の中央部などでもよい。
フィルタ掛止部材の素材は任意である。例えば、各種の合成樹脂（ポリプロピレン、ポリエチレン、ポリ塩化ビニル、ＡＢＳを含むフッ素系樹脂、エチレン酢酸ビニル共重合樹脂、アクリル樹脂など）、各種の金属（鉄、ステンレス、アルミニウム、青銅、黄銅など）を採用することができる。
フィルタ掛止部材の形状は任意である。例えば、板形状、ピン形状、山形状、波形状などが挙げられる。
【発明の効果】
【００２０】
請求項１に記載の発明によれば、フィルタ支持本体としてパンタグラフ構造のものを採用し、フィルタ付きのフィルタ支持本体により換気口をアーチ状に覆うようにしたので、多様なサイズの換気口に対応することができ、しかも使用時のフィルタ支持本体が高強度で、かつ換気口のサイズに拘らず、フィルタ支持本体の最大高さを変更することができる。
【００２１】
特に、請求項２に記載の発明によれば、換気口を覆うフィルタ支持本体にフィルタを被せてフィルタ支持本体を換気扇枠に固定するとき、フィルタの外周部をフィルタ掛止部材に掛止するようにしたので、フィルタの換気扇への着脱が容易となる。
【発明を実施するための最良の形態】
【００２２】
以下、この発明の実施例を具体的に説明する。
【実施例１】
【００２３】
図１〜図４において、１０は換気扇用フィルタ支持具で、この換気扇用フィルタ支持具１０は、換気扇枠１１の換気口１２を覆い、かつ平行四辺形に組まれた多数本の弾性変形可能なリンク１３同士を各交差位置で回動自在にピン１４により連結した伸縮自在なパンタグラフ構造のフィルタ支持本体１５と、換気扇枠１１のうち、換気口１２を中心とした両側部分にそれぞれ取り付けられ、かつフィルタ支持本体１５の一方の伸縮方向（前記平行四辺形の一方の対角線方向）の両端部に配置されたリンク１３が連結される支持体固定部材１６と、換気扇枠１１の側枠板（外周部）１７に設けられ、換気口１２に被せたフィルタ１８を掛止するフィルタ掛止部材１９とを備えたものである。
【００２４】
以下、これらの構成部品を詳しく説明する。
換気扇２０は、一般家庭のキッチンの側壁に据え付けられる。換気扇２０は、ファン（羽根）２１付きのモータ（図示せず）が、矩形状のベース枠２２の中央部に取り付けられた換気扇本体２３と、換気扇本体２３に掛止される換気扇枠１１とを主な構成体としている。換気扇枠１１は、中央部一帯に大径な換気口１２が形成された前板２４と、前板２４の各辺に連結された４枚の矩形状の側枠板１７と、換気口１２と一方の開口とを連通させ、前板２４の中央部に連結される円筒板３３とを有している。円筒板３３の内部空間が、ファン２１やモータの収納空間を兼ねた換気路ａとなる。
【００２５】
フィルタ支持本体１５は、パンタグラフ（四節回転機構）式の伸縮枠体である。リンク１３は、４本の長尺な第１のリンク１３Ａと、４本の短尺な第２のリンク１３Ｂとからなる。第１のリンク１３Ａは、長さ２９５ｍｍ程度、幅１０ｍｍ程度、厚さ２ｍｍ程度のポリプロピレン製の板材である。第２のリンク１３Ｂは、長さ２５５ｍｍ程度、幅１０ｍｍ程度、厚さ２ｍｍ程度の同じくポリプロピレン製の板材である。フィルタ支持本体１５は、８本のリンク１３を平行四辺形が縦横に連続するように組んだ部材である。そのため、フィルタ支持本体１５は、その平行四辺形の両対角線方向へ伸縮する。また、両リンク１３Ａ，１３Ｂは、薄く細長いプラスチック製の板である。よって、換気扇枠１１のサイズに合わせ、鋏により適宜長さにカットしてもよい。
【００２６】
各４本ずつの両リンク１３Ａ，１３Ｂのうち、２本ずつがフィルタ支持本体１５の表側に配置され、残り２本ずつが裏側に配置される。表側配置の第１のリンク１３Ａには、所定ピッチで４つのピン孔３５が形成されている（図４（ｂ））。表側配置の第２のリンク１３Ｂには、所定ピッチで３つのピン孔３５が形成されている。また、裏側配置の第１のリンク１３Ａの表面には、所定ピッチで４本のピン１４が第１のリンク１３Ａと同じ素材で一体形成されている（図４（ｂ））。裏側配置の第２のリンク１３Ｂの表面には、所定ピッチで３本のピン１４が第２のリンク１３Ｂと同じ素材で一体形成されている。各ピン１４を対応するピン孔３５に掛止することで、格子状のフィルタ支持本体１５が組み立てられる。各第２のリンク１３Ｂの長さ方向の一端部には、支持体固定部材１６へのフィルタ支持本体１５の固定に使用される固定用ピン３０が、第２のリンク１３Ｂと一体的にそれぞれ形成されている。
【００２７】
なお、表側配置される両リンク１３Ａ，１３Ｂへのピン孔３５の形成数を増やすとともに、裏側に配置される両リンク１３Ａ，１３Ｂへのピン１４の形成数を増やすことで、各リンク１３の連結ピッチを調整することができる。連結ピッチを小さくすれば、換気扇枠１１のサイズに合わせ、両リンク１３Ａ，１３Ｂの本数を増やし、フィルタ支持本体１５を密な格子形状とすることができる。また、連結ピッチを大きくすれば、換気扇枠１１のサイズに合わせ、両リンク１３Ａ，１３Ｂの本数を減らし、フィルタ支持本体１５を粗い格子形状とすることができる。
【００２８】
支持体固定部材１６は、ポリプロピレン製の矩形状の板材で、換気扇枠１１の右方配置される側枠板１７の長さ方向の中間部と、左方配置される側枠板１７の長さ方向の中間部とにそれぞれ貼着される。支持体固定部材１６は、裏面に両面テープ（図示せず）が貼着された固定板片２５Ａと、固定板片２５Ａの長辺側に、全体が裏側より外方へ数十度だけ屈曲した連結板片２５とを有している。連結板片２５の長さ方向の両端部には、対応する前記固定用ピン３０が掛止される１対の固定用ピン孔３１が、連結板片２５の長さ方向に所定間隔をあけて配設されている。両支持体固定部材１６において、外側配置された１対の固定用ピン孔３１、または、内側配置された１対の固定用ピン孔３１に、対応する第２のリンク１３Ｂの固定用ピン３０が掛止される。
【００２９】
フィルタ掛止部材１９はポリプロピレン製の板材で、換気扇枠１１の四隅にそれぞれ配置される。各フィルタ掛止部材１９は、裏面に貼着された両面テープ（図示せず）を介して、前板２４の各隅部に貼着される正面視して四角形のベース小板片２６と、ベース小板片２６の隣接する１対の辺部にそれぞれ一体形成され、かつ裏側の外方へ数十度屈曲した１対の矩形状の掛止小板片２７とを有している。両掛止小板片２７に、フィルタ１８の外周部の一部が掛止される。
【００３０】
次に、換気扇用フィルタ支持具１０の使用方法を詳細に説明する。
図１〜図４に示すように、まず、換気扇枠１１の右方配置された側枠板１７の長さ方向の中間部と、左方配置された側枠板１７の長さ方向の中間部とに、両面テープを介して、１対の支持体固定部材１６をそれぞれ貼着する。これにより、連結板片２５の屈曲方向が換気扇枠１１の内側へ向く。また、４つのフィルタ掛止部材１９を、両面テープを介して、換気扇枠１１の前板２４の四隅にそれぞれ貼着する。さらに、各種の換気口１２のサイズに合わせ、フィルタ支持本体１５を伸縮させる（交差配置された各リンク１３の交差角度を変更する）。フィルタ支持本体１５として、多数本のリンク１３を多間接に連結したパンタグラフ構造のものを採用したので、多様なサイズの換気口１２に対応することができる。
【００３１】
次に、１対の支持体固定部材１６およびこれに連結される第２のリンク１３Ｂを介して、長さ調整されたフィルタ支持本体１５を換気扇枠１１にアーチ形状に取り付ける。このように、フィルタ支持本体１５の使用時の外観形状を、高強度な構造のアーチ形状としたので、例えば換気扇２０のモータが大出力でファン２１の吸引力が大きい場合でも、その負圧力によりフィルタ支持本体１５の変形を起こし難い。
【００３２】
両支持体固定部材１６に対する各第２のリンク１３Ｂの連結時には、外側配置された１対の固定用ピン孔３１、または、内側配置された１対の固定用ピン孔３１に、対応する第２のリンク１３Ｂの固定用ピン３０が掛止される。しかも、換気扇用フィルタ支持具１０では、換気口１２のサイズに合わせて長さ調整されたフィルタ支持本体１５における最大高さを最適値に調整することができる。具体的には、仮に長さ調整されたフィルタ支持本体１５の最大高さが高すぎる場合には、各第２のリンク１３Ｂを支持体固定部材１６の外側配置の固定用ピン孔３１にそれぞれ掛止する。反対に、長さ調整されたフィルタ支持本体１５の最大高さが低すぎる場合には、各第２のリンク１３Ｂを支持体固定部材１６の内側配置の固定用ピン孔３１にそれぞれ掛止する。このような簡単な作業で、換気扇用フィルタ支持具１０を換気扇枠１１に理想的な最大高さでセットすることができる。
【００３３】
このように、長さ調整されたフィルタ支持本体１５において、最大高さを最適値に調整できるように構成したので、フィルタ１８とファン２１との距離が接近すぎて、ファン２１の負圧力の影響を大きく受け、フィルタ１８に捕集された油分がフィルタ１８を通り抜け、背後のファン２１を汚すおそれが低減する。反対に、フィルタ１８とファン２１との距離が離れすぎて、換気扇２０の近傍の空間を有効利用できなくなる事態を回避することができ、しかもフィルタ１８に多量の油分が付着した際、フィルタ１８から落下した油滴で汚れる床面積を小さくすることができる。
【００３４】
その後、フィルタ支持本体１５を介してフィルタ１８を換気口１２に被せ、フィルタ１８の外周部に設けられた輪ゴム３４を、１対の掛止小板片２７にそれぞれ掛止する。これにより、フィルタ１８の換気扇２０への着脱が容易となる。すなわち、従来品では、換気扇枠を換気扇本体から取り外し、フィルタの周縁部を換気扇枠の周側枠板の内側へ回り込ませ、再び換気扇本体に換気扇枠を装着していたが、その手間が省ける。
なお、両支持体固定部材１６の一端部間と他端部間とにそれぞれ１対の紐を架け渡し、これらの紐に、フィルタ支持本体１５の他方の伸縮方向に配置された各リンク１３の対応する端部をそれぞれ連結してもよい。このように構成することで、フィルタ支持本体１５をドーム形状に弾性変形させることができ、さらにフィルタ支持本体１５が形状的に高強度となる。
【図面の簡単な説明】
【００３５】
【図１】この発明の実施例１に係る換気扇用フィルタ支持具の高さ調整した後の使用状態の斜視図である。
【図２】この発明の実施例１に係る換気扇用フィルタ支持具の高さ調整する前の使用状態の斜視図である。
【図３】この発明の実施例１に係る換気扇用フィルタ支持具のフィルタ支持本体の伸長状態の正面図である。
【図４】（ａ）この発明の実施例１に係る換気扇用フィルタ支持具のフィルタ支持本体の収縮状態の正面図である。（ｂ）このフィルタ支持本体のリンク連結状態を示す拡大断面図である。
【符号の説明】
【００３６】
１０  換気扇用フィルタ支持具、
１１  換気扇枠、
１２  換気口、
１５  フィルタ支持本体、
１６  支持体固定部材、
１７  側枠板（外周部）、
１８  フィルタ、
１９  フィルタ掛止部材。
【図１】
0004761542.tif 000002
【図２】
0004761542.tif 000003
【図３】
0004761542.tif 000004
【図４】
0004761542.tif 000005